(57)【特許請求の範囲】
【請求項１】
マルチコアプロセッサ用の光バスであって、
２つの非伝播層の間に挟まれた可変厚の光伝播層内で実質的に全内部反射を提供する平面導波路であって、前記光伝播層が、前記光伝播層内の横位置に従って徐々に変化する有効屈折率を有する、平面導波路と、
前記導波路に埋め込まれた照明ポートのセットであって、前記ポートが、前記セットの任意の光ポートから発する照明を、前記セットの残りの複数のポートに集束させるように分散されている、照明ポートのセットと、
前記セットの１つ以上の照明ポートを光エミッタとして選択的に活性化させ、前記セットの残りの照明ポートを光レシーバとして同時に活性化させるように構成された光管理システムと、を備えた光バス。
【請求項２】
前記光伝播層が、非伝播層によって分割される、請求項１に記載の光バス。
【請求項３】
前記複数の照明ポートが、前記平面導波路の非光伝播層に埋め込まれている、請求項１に記載の光バス。
【請求項４】
前記光管理システムが、前記光バスによってリンクされた少なくとも１つのコアに実装される、請求項１に記載の光バス。
【請求項５】
前記照明が、電磁スペクトルの赤外領域内の波長で実装される、請求項１に記載の光バス。
【請求項６】
前記２つの非伝播層の各々が、互いに異なる屈折率を有する、請求項１に記載の光バス。
【請求項７】
前記平面導波路上に配置された周辺反射器をさらに備える、請求項１に記載の光バス。
【請求項８】
前記周辺反射器が、ブラッグ（Ｂｒａｇｇ）反射器として実装される、請求項７に記載の光バス。
【請求項９】
プロセッサの複数のコア間でデータを光学的に転送する方法であって、
平面導波路に埋め込まれた、第１のプロセッサコアと通信するエミッタから光を放射することと、
前記平面導波路の２つの非伝播層の間に挟まれた可変厚の光伝播層を通じて光を方向付けることであって、前記光伝播層が、前記光伝播層内の横位置に従って徐々に変化する有効屈折率を有する、光を方向付けることと、
前記平面導波路に埋め込まれた複数の光検出器に前記光を集束させることと、
前記複数の光検出器の各々が、別々のプロセッサコアと通信することと、を含む方法。
【請求項１０】
前記光を集束させることが、反射器から反射することを含む、請求項９に記載の方法。
【請求項１１】
前記反射器が、ブラッグ（Ｂｒａｇｇ）反射器として実装される、請求項１０に記載の方法。
【請求項１２】
前記エミッタが、二重機能照明ポートとして実装される、請求項９に記載の方法。
【請求項１３】
前記光検出器が、二重機能照明ポートとして実装される、請求項９に記載の方法。
【発明の詳細な説明】
【技術分野】
【０００１】
現代のコンピュータプロセッサの進歩は障壁にぶつかっている。追加の計算能力を引き出すには、複数のコアを統合して、何年もの間、比較的変わっていないクロック速度を克服する必要がある。しかしながら、複数のコア間の効率的な通信は、追加の計算能力を引き出すための別の障壁となる。
【０００２】
現在のバスベースの相互接続は、１０〜２０個のコアに制限されている。プロトタイププロセッサ（ＭＩＴ  Ｒａｗ、Ｔｉｌｅｒａ、Ｉｎｔｅｌ  Ｔｅｒａｓｃａｌｅ  Ｐｒｏｔｏｔｙｐｅ）は、有線ネットワークで相互接続された１００個近くのコアを採用し、隣接するコア間でのみのコア間通信に制限されている。さらに、有線のネットワークは、過剰な熱を生成することに加えて、貴重なスペースとエネルギーを消費する。
【０００３】
有線のコア間通信の代替手段は、各コアが光パルスを放射および受信し、かつ全てのコアが同じ情報を受信できるようにする、光ファイバーを通じて実装される光通信である。選択的な通信は、異なる周波数の光で情報を送信することによって実現できる。
【０００４】
光ファイバー技術は、光ファイバーのデータ伝送の一次元の性質から生じる伝送容量の制限にも悩まされている。コンピュータが１００個以上のコア処理の統合に移行するにつれて、光ファイバー技術はそのような堅牢なコア間データ伝送容量を提供できなくなる。
【０００５】
したがって、光学的にリンクされた数百個のコアを採用するプロセッサにデータ伝送を提供する光伝送技術が必要である。
【発明の概要】
【０００６】
本発明の教示によれば、２つの非伝播層の間に挟まれた可変厚の光伝播層内で実質的に全内部反射を提供する平面導波路であって、光伝播層が、光伝播層内の横位置に従って徐々に変化する有効屈折率を有する、平面導波路と、導波路に埋め込まれた照明ポートのセットであって、ポートが、セットの任意の光ポートから発する照明を、セットの残りの複数のポートに集束させるように分散されている、照明ポートのセットと、セットの１つ以上の照明ポートを光エミッタとして選択的に活性化させ、セットの残りの照明ポートを光レシーバとして同時に活性化させるように構成された光管理システムと、を備えたマルチコアプロセッサ用の光バスが提供される。
【０００７】
本発明のさらなる特徴によれば、光伝播層は、非伝播層によって分割される。
【０００８】
本発明のさらなる特徴によれば、複数の照明ポートは、平面導波路の非光伝播層に埋め込まれている。
【０００９】
本発明のさらなる特徴によれば、光管理システムは、光バスによってリンクされた少なくとも１つのコアに実装される。
【００１０】
本発明のさらなる特徴によれば、照明は、電磁スペクトルの赤外領域内の波長で実装される。
【００１１】
本発明のさらなる特徴によれば、２つの非伝播層の各々は、互いに異なる屈折率を有する。
【００１２】
本発明のさらなる特徴によれば、平面導波路上に配置された周辺反射器も提供される。
【００１３】
本発明のさらなる特徴によれば、周辺反射器は、ブラッグ（Ｂｒａｇｇ）反射器として実装される。
【００１４】
本発明の教示によれば、プロセッサの複数のコア間でデータを光学的に転送する方法であって、平面導波路に埋め込まれた、第１のプロセッサコアと通信するエミッタから光を放射することと、平面導波路の２つの非伝播層の間に挟まれた可変厚の光伝播層を通じて光を方向付けることであって、光伝播層が、光伝播層内の横位置に従って徐々に変化する有効屈折率を有する、光を方向付けることと、
平面導波路に埋め込まれた複数の光検出器に光を集束させることと、
複数の光検出器の各々が、別々のプロセッサコアと通信することと、を含む方法も提供されている。
【００１５】
本発明の教示によれば、光を集束させることは、反射器から反射することを含む。
【００１６】
本発明の教示によれば、反射器は、ブラッグ（Ｂｒａｇｇ）反射器として実装される。
【００１７】
本発明の教示によれば、エミッタは、二重機能照明ポートとして実装される。
【００１８】
本発明の教示によれば、光検出器は、二重機能照明ポートとして実装される。
【図面の簡単な説明】
【００１９】
本発明とみなされる主題は、本明細書の結論部分で特に指摘され、明確に請求されている。しかしながら、本発明は、その目的、特徴、および利点と共に、構成および動作方法の両方に関して、添付の図面とともに読むときに、次の詳細な説明を参照することにより最もよく理解することができる。
【００２０】
【図１】実施形態による、平面波長の伝播層の高さの関数としての有効屈折率のグラフと概略図を組み合わせた図である。
【図２】実施形態による、光バスの概略断面図である。
【図３】光バスの円形実施形態の発散点から複数の焦点での収束への光伝播を描く光バスの伝播層の概略上面図である。
【図４】光バスの正方形の実施形態の発散点から複数の焦点での収束への光伝播を描く光バスの伝播層の概略上面図である。
【図５】光バスの正方形の実施形態の発散点から複数の焦点での収束への螺旋状の光伝播を描く光バスの伝播層の概略上面図である。
【図６】実施形態による、プロセッサの複数のコア専用の照明ポートアレイを描く光バスの概略上面斜視図である。
【００２１】
デバイス要素は、要素を強調するために一定の縮尺で描かれていない場合があり、参照番号は、対応するまたは類似の要素を示すために図面間で繰り返される場合があることが理解されよう。
【発明を実施するための形態】
【００２２】
以下の説明では、本発明の完全な理解を提供するために多くの詳細が述べられている。しかしながら、これらの具体的な詳細なしで本発明を実施できることが当業者には理解されるであろう。本発明の特徴およびステップを強調するために、周知の方法、手順、およびコンポーネントは省略されている。
【００２３】
本発明は、概して、光データ通信に関し、具体的には、単一のプロセッサで効果的に採用できるコアの数をスケールアップして、平面導波路として実装される光バスを通じたコア間通信を改善することにより計算能力を向上させることに関する。光バスは、空間選択性を活用して、各コア上で数千の光エミッタとレシーバを光学的にリンクするのに有利である。その結果、バスで利用可能な伝送チャネルの数は、照明ポートを受信するための導波路の伝播層の集束領域で利用可能な領域によって制限される。
【００２４】
この文書では、次の用語が使用される。
【００２５】
「照明ポート」または「ポート」とは、当技術分野で知られているように、印加されるボルタ（ｖｏｌｔａｉｃ）バイアスの方向に依存して、発光ダイオード（ＬＥＤ）またはフォトダイオードのいずれかとして活性化できる二重機能マイクロダイオードを指す。「光検出器」という用語は「フォトダイオード」を指す。
【００２６】
「ポートセット」とは、伝播層の焦点に配置された照明ポートのセットを指す。
【００２７】
「集束領域」とは、この領域内の任意の点で放射された複数の光線が集束領域内の対応する点で集束される条件を満たす伝播層内の領域を指す。この条件が満たされる厚さプロファイルの形状は、実施形態、本明細書で述べられるいくつかの非限定的な実施形態の関数である。
【００２８】
上記のように、光バスは、平面導波路として実装され、低屈折率材料が高屈折率材料を挟む、比較的高屈折率材料と低屈折率材料の層の交互から構成される。範囲を狭めることなく、この文書では、シリカ、シリコン、シリカサンドイッチを採用する実施形態について説明する。
【００２９】
当技術分野で知られているように、そのような導波路を通る光伝播は、全内部屈折により高屈折率層に限定され、したがって伝播層とみなされ、シリカ層は非伝播層とみなされる。
【００３０】
本発明の平面導波路の伝播層は、シリコン伝播層の高さｈ、または厚さの関数として変化する可変有効屈折率ｎを示し、これは図１に概略的および図式的に描かれている。シリコン伝播層の有効屈折率ｎは、自由空間波長λ＝１．５５μｍ、の光に対して示されており、シリカ層の無限の厚さを想定している。（電磁場はシリカの厚さの関数として指数関数的に減少しているため、このような仮定は正当である。）
有効屈折率ｎは、伝播層に直交する電界での偏光のヘルムホルツ方程式の基底状態を解くことによって取得される。標準のセルマイヤー方程式は、シリカ（ガラス）、ｎｇ、およびシリコンｎｓの個々の屈折率にそれぞれ使用される。シリコン伝播層がμｍ単位で可変の高さｈを有するシリカ、シリコン、シリカのサンドイッチの有効屈折率ｎは、様々な層の電界が方程式（１）として述べられる次の数学的手順によって与えられる。
下部シリカ層１では、
【数１】
0006764144.tif 000002
【数２】
0006764144.tif 000003
かつ、上部シリカ層３では、
【数３】
0006764144.tif 000004
【００３１】
ここで、自由空間波長λの光の場合、ｋ＝２π／λである。ｚ＝−ｈ／２でＥ１＝Ｅ２、∂Ｅ１／∂ｚ＝∂Ｅ２／∂ｚ、ｚ＝ｈ／２でＥ２＝Ｅ３、∂Ｅ２／∂ｚ＝∂Ｅ３／∂ｚを必要とし、ａｍおよびβについて計算デバイスで数値的に解く。有効屈折率は、ｎ＝β／ｋ。によって与えられる。図１の関数ｎ（ｈ）は、ｈ（ｎ）を与えるために数値的に反転される。
【００３２】
図２は、光伝播層２、それぞれ下部および上部非伝播層１および３、ならびに伝播層２および下部非伝播層３の一部を囲むブラッグミラー４を有する光バスの実施形態の断面図を描く。示されるように、光伝播層２は、回転対称であり、伝播層上の横方向位置を同定するデカルト座標ｘおよびｙに従って有効屈折プロファイルを定義するミクロン単位で変化する高さｈを有する。この図は、デバイスの直径に沿ってｙ＝０で切断した場合を示し、高さの単位は横方向の長さの単位（ｘおよびｙ）とは異なり、描かれている長さに対する高さは、明確にするために誇張されていることを理解されたい。
【００３３】
有効なインデックスプロファイルは、光バスの１つのポイントでの発光を複数の排他的なパートナーポイントに集束できるように設計されているため、展開時にエンコードされた光による信頼性の高い情報転送が可能になる。
【００３４】
このインデックスプロファイルは、方程式（２）に従って生成され、
【数４】
0006764144.tif 000005
ここで、半径
【数５】
0006764144.tif 000006
はデバイスの半径の単位で与えられ、ｍは光学的に接続された光ポートの数を示し、ｎ０は任意の一定の前因子である。図２に示されるように、特定の実施形態では、方程式（２）から生成されたプロファイルは、屈折率がその最大値から２倍に低下する位置で平らになる。前因子は、このｎの範囲が図１に描かれた屈折率の範囲内にあるように選択される。
【００３５】
方程式（２）は、Ｕ．Ｌｅｏｎｈａｒｄ、Ｓｃｉｅｎｃｅ  ３１２、１７７７（２００６）およびＵ．Ｌｅｏｎｈａｒｄｔ、ＮｅｗＪ  Ｐｈｙｓ  １１、０９３０４０（２００９）による論文「Ｏｐｔｉｃａｌ  Ｃｏｎｆｏｒｍａｌ  Ｍａｐｐｉｎｇ」および「Ｍａｘｗｅｌｌ´ｓ  Ｆｉｓｈ  Ｅｙｅ」に従った、べき乗則共形変換を用いた光学共形マッピングを通じて、マックスウェルのフィッシュアイのインデックスプロファイルから取得される。両方の論文は、参照によりその全体が本明細書に組み込まれる。べき乗則共形変換は、ｚ＝ｘ＋ｉｙの分析関数ｗ＝ｚｍ／２によって記述される。
【００３６】
図３は、実施形態による、活性な焦点セットと選択可能な光放射点６および受信焦点７に加えて非活性な焦点８、ならびに円周ブラッグミラー４を有する円形光バスの伝播層２内の光伝播の概略上面図である。
【００３７】
動作中、図２に描かれた厚さプロファイルによって定義された有効屈折率により、光の伝播は、焦点の一意かつ排他的なセットを有する具体的な伝播経路９に従う。これらの焦点のいずれかで放射された光は、示されたように伝播し、放射点６の非活性な焦点セットに関連付けられた焦点に収束することなく、焦点セットのパートナーの各焦点に収束する。動作中、焦点の複数のセットが同時に採用され、各発光が焦点のそれぞれのセットに限定されることを理解されたい。
【００３８】
その放射点６での光の発散、伝播経路９に沿った移動、および他の焦点セットに関連付けられた焦点８で収束することなく複数の焦点７で収束する例が示される。
【００３９】
伝播層２の光線追跡は、方程式（３）の光線の位置ベクトルｒと、波数ベクトルｋに対するハミルトンの方程式を数値的に解くことにより実現される。
【数６】
0006764144.tif 000007
【００４０】
光は、シリコンでのその優れた伝播特性のため、一般的には赤外光を指すが、そのような用途に有用な他の様々な波長も採用できる。
【００４１】
ブラッグミラー４は、伝播層２を逃れる発光が確実に反射されるように構成され、上記で説明され図３に描かれた伝播経路に従った完全な内部反射を確実にする。
【００４２】
図４は、コンピュータプロセッサの幾何学形状またはコアレイアウトの幾何学形状と一致するために、そのようなバス幾何学形状を必要とする用途のための長方形の光バスに実装された伝播層２における光伝播の概略上面図である。
【００４３】
図３の円形の実施形態と同様に、この実施形態はまた、実施形態による、選択可能な放射点６および受信焦点７を有する焦点の活性セットに加えて、焦点の非活性なセット（図示せず）、および周辺ミラー１１を有する。
【００４４】
動作中、厚さプロファイルによって定義された有効屈折率は、図３の円形の実施形態に描かれた経路とは異なる焦点の一意かつ排他的なセットを有する伝播経路１０を光伝播に追随させる。
【００４５】
ここでも必要な有効屈折率は、方程式（１）で上に述べたように、伝播層２の厚さプロファイルによって実装される。この長方形の実施形態の有効屈折率プロファイルは、光伝播機能を維持するために、図３に描かれた円形の実施形態の方程式（２）の共形変換を通じて導出される。
【００４６】
共形変換は、Ｓｃｉｅｎｃｅ  ３１２、１７７７（２００６）の上記の論文「Ｏｐｔｉｃａｌ  Ｃｏｎｆｏｒｍａｌ  Ｍａｐｐｉｎｇ」に従って計算された屈折率プロファイルによって実装できる。具体的には、単位ディスクの単位正方形への変換は、方程式（４）で与えられ、
【数７】
0006764144.tif 000008
ここで、ｗ＝ｕ＋ｉｖは、複合表記で（および半径の単位で）の図３の平面の再命名デカルト座標であり、ｚ＝ｘ＋ｉｙは、プロセッササイズの単位での図４の対応するデカルト座標であり、Ｆは第１種の楕円積分、Ｋは第１種の完全楕円積分である。
【００４７】
変換された有効屈折率プロファイルｎ´は、元のプロファイルｎと共形変換に関して、方程式（５）で与えられ、
【数８】
0006764144.tif 000009
ここで、ｎはｗ（ｚ）とｗ＊（ｚ＊）の関数として解釈される必要があり、共形変換は複素平面上の分析関数ｗ（ｚ）、つまり、ｚ（ｗ）の逆数で表される。
【００４８】
図５は、１０７個の光学的に接続された焦点を有する伝播層２の代替実施形態における光伝播の概略上面図である。前に描いた実施形態と同様に、任意の選択可能な光放射点６からの光は、残りの１０６個の焦点７全てに収束する。上記のように、追加の焦点セットは、エミッタとレシーバで描かれた活性な焦点セットに対して同時に独立して光を放射し、かつ受信する。この実施形態は周辺ミラーを採用しないことを理解されたい。
【００４９】
この照明構成は、方程式（６）、ｎＭ＝ｎ０ｓｅｃｈ（Ｙ／ｂ）によって与えられる有効屈折率プロファイルを有する、ミカエリアンのレンズ［Ａ．Ｌ．ＭｉｋａｅｌｉａｎおよびＡ．Ｍ．Ｐｒｏｋｈｏｒｏｖ  Ｐｒｏｇ．Ｏｐｔ．１７，２７９（１９８０）］に基づいており、物理座標に光学共形マッピングによって変換される｛Ｘ、Ｙ｝平面で、ｂはスケーリングパラメータであり、ｎ０は図１に描かれた屈折率範囲によって決定される任意の定数である。このプロファイルは、ｎＭがその最大値から１／２低下するまで（Ｙ＝ｂ  ａｒｃｏｓｈ２まで）使用される。
【００５０】
共形変換により、方程式（６）で定義されたミカエリアンレンズのストリップは、図５に示された実質的にらせんの形状にマッピングされる。変換は、複素数ａ（ここではａ＝１＋２０ｉ）を有する、ｗ＝（Ｘ＋ｉＹ）ａであり、再スケーリング定数Ｒ（ここではＲ＝１０）で除算され、その後に方程式（４）の変換が続く。
【００５１】
合計変換に方程式（５）を使用すると、変換されたミカエリアンレンズの有効屈折率プロファイルが計算され、スパイラル形状にラップされた、変換されたストリップ間のスペースが、ス滑らかに補間される。光線追跡は、式（３）の方法で実行される。
【００５２】
任意の焦点での放射および残りの全ての焦点での光収束を可能にする、光学的に接続された焦点群セットを提供する多くの可能な光伝播形状が存在することを理解されたい。
【００５３】
さらに、特定の実施形態では、伝播層２は追加の非伝播層によって分割され、５層平面導波路を形成する。２つの伝播層の厚さプロファイルは、当業者に知られているように、本明細書内に記載されている方法を拡張することにより決定される。
【００５４】
さらに別の実施形態では、２つの非伝播層のみを採用し、それぞれが互いのそれと異なる屈折率で実装される。
【００５５】
図６は、実施形態による、光バス１５および１つのプロセッサ１３として実装された、図１〜図３に描かれた平面導波路の概略拡大上面図である。
【００５６】
示されるように、光バス１５は、６つの照明ポートアレイ１２を通じて６つのプロセッサコア１３（明確にするために１つのみが示される）を光学的に接続し、アレイは、それぞれのプロセッサコア１３専用である。
【００５７】
各アレイ１２の各照明ポートは、独自のポートセットのメンバであり、各焦点で伝播層２に埋め込まれるか、非伝播層１または３の１つに埋め込まれ、別の実施形態では伝播層２の焦点に向けられる。
【００５８】
また、明確にするために、１つのエミッタ６と１つの検出器７のみが活性化ポートとして描かれている。非活性ポート８は、描かれた活性ポート、エミッタ６およびレシーバ７に対してのみ非活性であることを理解されたい。描かれた非活性のポート８は、それら独自のそれぞれのポートセットのメンバとして実際には活性であり、描かれた活性のポート６および７と同時に動作する。
【００５９】
アレイ１２の照明ポートの各々は、上記のように、印加された電圧バイアスに依存してエミッタまたは光検出器のいずれかとして動作する、二重機能照明ポートとして実装される。照明ポートの光学的に活性な構造が順方向にバイアスされると、ＬＥＤとして機能し、逆方向にバイアスされると、光検出器として機能する。
【００６０】
特定の実施形態では、光学活性構造は約２０μｍの直径を有し、他の実施形態では、直径は２０μｍ未満である。照明ポートの構造および動作に関するさらなる詳細は、米国特許第６，４１０，９４０号に見られ、参照によりその全体が本明細書に組み込まれる。
【００６１】
特定の実施形態では、ポートの第１のセットは第１の波長で動作し、ポートの第２のセットは異なる波長で動作する。
【００６２】
バイアスは、実施形態に依存してコア１３、他の処理ユニット、または両方の１つ以上に配置された、スイッチング電子機器の光管理システム１４によって管理される。光管理システム１４は、プロセッサコア回路と通信しており、コア間のデータ伝送要件に従って動作する。時間データは、伝播層２の設計によって保証されているように、光エミッタ６として活性化された照明ポートのいずれかから光学的に送信され、他のコアに関連付けられた光検出器７として活性化された対応するポートで受信される。
【００６３】
各アレイ１２は、それぞれの各ポートセットからの１つの照明ポートから形成されるため、各アレイのポートの数は、光データ伝送に利用可能な個別のデータ伝送経路の数を表す。
【００６４】
平面導波路用の低−高−低屈折率材料は、当技術分野で知られているように、フォトリソグラフィおよび適切な材料の堆積を通じ構築することができる。あるいは、平面導波路は、Ｊ．Ｃａｒｄｅｎａｓ、Ｃ．Ｂ．Ｐｏｉｔｒａｓ、Ｊ．Ｔ．Ｒｏｂｉｎｓｏｎ、Ｋ．Ｐｒｅｓｔｏｎ、Ｌ．Ｃｈｅｎ、およびＬｉｐｓｏｎによる論文「Ｌｏｗ  Ｌｏｓｓ  Ｅｔｃｈｌｅｓｓ  Ｓｉｌｉｃｏｎ  Ｐｈｏｔｏｎｉｃ  Ｗａｖｅｇｕｉｄｅｓ」、Ｏｐｔ．Ｅｘｐｒｅｓｓ  １７，４７５２（２００９）に記載され、ｈｔｔｐｓ：／／ｄｏｉ．ｏｒｇ／１０．１３６４／ＯＥ．１７．００４７５２  で利用可能であり、参照によりその全体が本明細書に組み込まれているように、エッチングなしで制御された酸化を通じて構築されてもよい。
【００６５】
光バスは、有利なことに、コア間のデータ転送速度を１０００倍にする。さらに、プロセッサコア間の接続性が向上すると、計算能力が向上し、消費電力が削減され、モバイルデバイスのバッテリー寿命が長くなる。
【００６６】
例えば、コアのアクティビティが２倍に増加した場合、同じ計算能力を想定して接続性が向上するため、消費電力は８倍に低下する。（アクティビティは、活性なコアの平均数をコアの総数で割ったものである。）これは、モバイルデバイスのバッテリーが約１０倍長持ちすることを意味する。バッテリー寿命に劇的な影響を与える理由は、消費電力がクロック速度に大きく依存し、計算タスクをいくつかのコアに分散させると、クロック速度が低下し、アクティビティの増加による立方体の消費電力が削減されるためである。
【００６７】
特別の実施形態の文脈で記載された特徴は、この文書に記載された他の実施形態にも適用されることを理解されたい。
【００６８】
本明細書では本発明の特定の特徴を例示および記載しているが、改変、置換、変更、および等価も本発明の範囲内に含まれる。
【図１】
0006764144.tif 000010
【図２】
0006764144.tif 000011
【図３】
0006764144.tif 000012
【図４】
0006764144.tif 000013
【図５】
0006764144.tif 000014
【図６】
0006764144.tif 000015